(57)【要約】一例において、システムは、プリントヘッド受容ステーションを有するキャリッジ、色変化エンジン、及び遅延エンジンを含む。色変化エンジンは、部分塗りつぶし領域に対応する潜在的な色変化条件を識別する。遅延エンジンは、識別された潜在的な色変化条件および前記部分塗りつぶし領域のサイズに従ってキャリッジ遅延方策を適用する。【選択図】図３
2021511993.tif 000002
【特許請求の範囲】
【請求項１】
プリントヘッド受容ステーションを含むキャリッジと、
印刷ジョブのイメージデータの部分塗りつぶし領域に対応する潜在的な色変化条件を、前記部分塗りつぶし領域の色の組みあわせ及び前記部分塗りつぶし領域のサイズに基づいて識別するための色変化エンジンと、
識別された潜在的な色変化条件および前記部分塗りつぶし領域のサイズに従ってキャリッジ遅延方策を適用するための遅延エンジンとを含む、システム。
【請求項２】
前記色変化エンジンは、
どのスワスがイメージの部分塗りつぶし領域に対応するかを求め、
当該領域に対する印刷ジョブのスワスの数を、前記色組みあわせに対応する変化閾値と比較することができる、請求項１に記載のシステム。
【請求項３】
前記色変化エンジンは、敏感な色のアレイ及び前記敏感な色のそれぞれに対応するスワス間遅延を含むルックアップテーブルから色変化しやすい差異を検索して取り出すことができ、又は
前記遅延エンジンは、前記部分塗りつぶし領域に対する印刷ジョブのスワスの数、及び前記色組みあわせに対応する変化閾値を超えるスワスの数に基づいてスワス間遅延を計算することができる、請求項２に記載のシステム。
【請求項４】
前記色変化エンジンは、スワスの閾値数より多い場合に、色組みあわせを印刷するスワスの出力を追跡し、
前記キャリッジ遅延方策は、平均動作の下でのスワス間遅延に加えて、スワス間で遅延させるための時間量を特定し、
前記時間量は、１秒よりも小さく０より大きい可変の時間量である、請求項１に記載のシステム。
【請求項５】
前記遅延エンジンは、
前記印刷ジョブの多数のタイルのサイズ及び前記印刷ジョブのジョブ長さに基づいてスワス間遅延を求め、
前記多数のタイルのサイズに匹敵する前記部分塗りつぶし領域の場所に基づいてスワス間遅延の調整値を求めることができる、請求項１に記載のシステム。
【請求項６】
以下のこと、即ち
イメージデータが閾値幅の部分塗りつぶし領域および閾値量を超えて色変化を示す傾向がある前記部分塗りつぶし領域の色を含むことを識別する条件に対応するトリガ値を求め、
前記部分塗りつぶし領域に対応するイメージデータのパラメータを追跡し、
前記部分塗りつぶし領域が閾値数のスワスの後で印刷されているか否かを判断するために、追跡されたパラメータを前記トリガ値と比較し、
前記パラメータが前記トリガ値に達する場合に閾値数のスワスを超えて前記部分塗りつぶし領域を印刷するための印刷動作に対応するプリンタキャリッジの移動に関する可変のスワス間遅延に変更を適用すること
を行うためにプロセッサ資源により実行可能な一組の命令を含む持続性コンピュータ可読記憶媒体。
【請求項７】
イメージデータが部分塗りつぶし領域を含むことを識別するための前記一組の命令は、以下のこと、即ち
走査軸にわたって同じ色を使用する領域の多数の連続したスワスを特定し、
前記部分塗りつぶし領域に対する色の色値に基づいて前記領域の同じ色の割合に維持されて印刷されるべき閾値数のスワスを特定し、
前記閾値数のスワスを超える後続の多数のスワスを求め、
従前のスワスに対して、前記後続の多数のスワスのイメージデータを評価すること
を行うために前記プロセッサ資源により実行可能である、請求項６に記載の媒体。
【請求項８】
イメージデータが部分塗りつぶし領域を含むことを識別するための前記一組の命令は、以下のこと、即ち
前記部分塗りつぶし領域の色が色感受性の高い色組みあわせであることを判断し、
色変化感受性を有する所定の色に匹敵する色の組成に基づいて前記感受性の高い色組みあわせに遅延を関連付けること
を行うために前記プロセッサ資源により実行可能である、請求項６に記載の媒体。
【請求項９】
イメージデータが部分塗りつぶし領域を含むことを識別するための前記一組の命令は、以下のこと、即ち
色変化トリガ値を特定するために前記色に対応するルックアップテーブルのエントリを使用し、又は
色変化感受性を有する所定の色に匹敵する色の組成、及び前記組成の色の色変化感受性に対応する所定の遅延に基づいて前記色のトリガ値を動的に計算すること
を行うために前記プロセッサ資源により実行可能である、請求項６に記載の媒体。
【請求項１０】
前記一組の命令は、以下のこと、即ち
ラスターイメージ処理データであるイメージデータからジョブ幅およびジョブ長さを求め、
プリンタの走査軸の方向および印刷されるべきスワスの方向に対する前記部分塗りつぶし領域の場所に基づいてキャリッジの移動に関する可変のスワス間遅延の変更を適用すること
を行うために前記プロセッサ資源により実行可能である、請求項６に記載の媒体。
【請求項１１】
プリンタのキャリッジを動作させる方法であって、
印刷ジョブの部分塗りつぶし領域が遅延感受性の高い色組みあわせを含むことになるか、及び前記部分塗りつぶし領域が、前記遅延感受性の高い色組みあわせの感受性レベルに対応する閾値幅より大きい、前記キャリッジの走査軸に沿った幅を有するかを判断し、
前記遅延感受性の高い色組みあわせの感受性レベルに対応する閾値数のスワス後に、前記部分塗りつぶしが印刷されるべきである場合に前記キャリッジの移動に修正を適用することを含む、方法。
【請求項１２】
ラスターイメージ処理データからジョブ幅およびジョブ長さを求め、
内部濃度計情報分析から、前記ジョブ幅が媒体幅を超える時に及び前記ジョブ長さが媒体長さを超える時に部分塗りつぶしが印刷されることになることを判断することを含む、請求項１１に記載の方法。
【請求項１３】
前記走査軸に対応するイメージデータのセクションが前記色組みあわせで印刷されるべきであるかを確認し、
前記感受性レベルに達する前記遅延感受性の高い色組みあわせに対応する前記閾値数のスワスを特定し、
スワスが前記閾値数のスワスを超えて同じ色組みあわせでイメージデータのセクションを印刷することになるか否かを判断することを含む、請求項１２に記載の方法。
【請求項１４】
スワス中に色組みあわせを噴射するための多数のノズルを含む印刷パラメータを監視し、
従前のスワスの印刷パラメータを後続のスワスと比較することを含む、請求項１３に記載の方法。
【請求項１５】
部分塗りつぶし領域の部分塗りつぶし幅を特定し、
前記部分塗りつぶし領域の色組みあわせの色感受性レベルに対応する閾値サイズと前記部分塗りつぶし幅を比較することを含み、
前記修正を適用することは、前記部分塗りつぶしが前記閾値サイズ及び前記閾値数のスワスを超える場合に、可変のスワス間遅延に変更を適用することを含む、請求項１４に記載の方法。
【発明の詳細な説明】
【背景技術】
【０００１】
背景
イメージは、印刷装置のようなコンピューティングマシンと共に使用するために処理される。印刷装置は例えば、処理されたイメージデータに基づいた制御データを用いて、当該制御データに従って印刷流体吐出システムを動作させることによりイメージの物理的表現を再生することができる。イメージ処理は、色較正（色補正）を含むことができる。イメージは、印刷装置パイプラインにおいて処理され得るか、又は印刷サーバのような別個のコンピューティングデバイスにおいてオフラインで処理され得る。
【図面の簡単な説明】
【０００２】
【図１】例示的なイメージングシステムを示すブロック図である。
【図２】例示的なイメージングシステムを示すブロック図である。
【図３】様々なイメージングシステムが具現化され得る例示的な印刷装置を示す図である。
【図４】例示的なイメージングシステムを具現化するために使用される例示的な構成要素を示す図である。
【図５】プリンタのキャリッジを動作させる例示的な方法を示す流れ図である。
【図６】プリンタのキャリッジを動作させる例示的な方法を示す流れ図である。
【図７】プリンタのキャリッジを動作させる例示的な方法を示す流れ図である。
【発明を実施するための形態】
【０００３】
詳細な説明
以下の説明および図面において、印刷装置、イメージングシステム、及び／又はプリンタのキャリッジを動作させる方法の幾つかの例示的な具現化形態が説明される。本明細書で説明される例において、「印刷装置」は、印刷材料（例えば、インク又はトナー）を用いて物理的な媒体（例えば、用紙、布地、粉末ベースの構築材料の層など）上にコンテンツ（内容）を印刷するためのデバイスであることができる。例えば、印刷装置は、Ａ２以上のサイズである印刷媒体のような印刷媒体上にラテックスベースの印刷流体を印刷する大判印刷装置であることができる。幾つかの例において、印刷される物理的媒体は、巻き取り紙ロール又はカット済みシートであることができる。粉末ベースの構築材料の層上に印刷する場合、印刷装置は、層毎の積層造形プロセスにおいて印刷材料の付着を利用することができる。印刷装置は、インク、トナー、流体または粉末、或いは印刷用の他の原料のような適切な印刷消耗品を利用することができる。幾つかの例において、印刷装置は、三次元（３Ｄ）印刷装置であることができる。流体印刷材料の一例は、圧電プリントヘッド又はサーマルインクジェットプリントヘッドのようなプリントヘッドから吐出可能な水性ラテックスインクである。印刷流体の他の例は、染料ベースのカラーインク、顔料ベースのインク、溶剤、光沢増強剤、定着剤および同類のものを含むことができる。
【０００４】
本明細書で説明される特定の例は、印刷システムの色較正に関する。例えば、色較正は、印刷システムの色応答を印刷されるべき所望の色に、より正確に対応するように調整するために使用され得る。色較正は、所与の色の第１の表現が同じ色の第２の表現にマッピングされるカラーマッピングプロセスを較正するために使用され得る。「色」の概念は、可視波長範囲にわたる電磁放射線のパワー又は強度スペクトルに関連してのような、多種多様の方法で表されることができ、又は低次元で色を表すために色モデルが使用される。「色」は、類似した視覚を表すために使用されるカテゴリーであると考えられることができ、この場合、２つの色が１人または複数の人からなるグループに対して類似した影響をもたらす場合に、２つの色は類似であると考えられる。次いで、これらのカテゴリーは、より少ない数の変数を用いてモデル化され得る。例示的な印刷パイプラインにおいて、個々のインクは、印刷された色が所望の色に類似する又は一致するように、別個に較正され得る。
【０００５】
色モデルは、色空間、即ち多次元空間を定義することができ、係る多次元空間は、色モデル内の変数を表す空間の次元、及び明度を表す多次元空間内の点を有する。例えば、赤、緑、青（ＲＧＢ）色空間において、加色モデルは、赤色の光、緑色の光および青色の光の様々な量を表す３つの変数を定義する。別の色空間は、シアン、マゼンタ、イエロー及びブラック（ＣＭＹＫ）色空間を含み、この場合、４つの変数は、例えば印刷システム用の着色剤またはインクの様々な量を表すために減色モデルで使用され、異なる色の範囲を有するイメージは、着色剤またはインクのそれぞれのイメージを刷り重ねることにより印刷され得る。更に他の例は、国際照明委員会（ＣＩＥ）１９３１ＸＹＺ色空間（この場合、３つの変数（「Ｘ」、「Ｙ」及び「Ｚ」又は三刺激値）は色をモデル化するために使用される）、ＣＩＥ１９７６（Ｌ＊、ａ＊、ｂ＊−ＣＩＥＬＡＢ又は「ＬＡＢ」）色空間（この場合、３つの変数は明度（「Ｌ」）及び相反する色次元（「ａ」及び「ｂ」）を表す）、及びＹｕ’ｖ’色空間（この場合、３つの変数は輝度（「Ｙ」）及び２つのクロミナンス次元（ｕ’及びｖ’）を表す）を含む。他の空間は、ノイゲバウア・プライマリ・エリアカバレッジ（ＮＰａｃ：Neugebauer Primary areacoverage）空間のようなエリアカバレッジ空間を含み、この場合、各ＮＰａｃベクトルは、ハーフトーンにおける各ピクセルの１つ又は複数の着色剤またはインクの組み合わせの確率分布（例えば、特定の着色剤またはインクの組み合わせがハーフトーンにおける各ピクセル位置に配置されることになる可能性）を定義することができる。
【０００６】
サーマルインクジェット印刷において、ノズルは、抵抗器を通じたエネルギーのパルスを用いて駆動される。噴射プロセス中に蓄積された熱は、プリントヘッドの内部の液体の特性を変化させる場合がある。Ａ２の長さより大きい媒体を用いた印刷中に、例えば、プリントヘッド表面の温度は、スワス（幅帯状区画）（即ち、媒体上でのプリントヘッドの各パス）間で１０℃程度変化する場合があり、印刷ジョブの時間にわたって全般的に変化する場合がある。係るプリントヘッドの温度変化は、液滴の重量および液滴の速度のような、液滴の特性に影響を及ぼす場合がある。色の変化（色変化）は、液滴特性の異なる変化に起因して生じ、特に首尾一貫した所望の色を有するタイルを扱う際に、その結果がタイル間に様々な色のばらつきが存在する場合に、顧客の不満を生じる場合がある。
【０００７】
後述される様々な例は、可変のキャリッジ遅延を用いて印刷ジョブの部分塗りつぶし特性に基づいた印刷の色調整に関する。例えば、色変化は、長い印刷ジョブにおいて生じる場合があり、色変化を生じる場合がある部分塗りつぶしに関してイメージデータを分析することにより、キャリッジの移動のような動作を含む印刷動作は、出力された色の変化を阻止するために調整され得る。本明細書で使用されるような部分塗りつぶしは、同じ着色および／またはパターンを含むピクセルの閾値数より大きい領域である。例えば、領域は、当該領域がｘ方向またはｙ方向（例えば、媒体の幅および媒体送り方向）において２ピクセル閾値より大きく、且つ当該領域のピクセルが全て同じ色の組み合わせであると指定される場合、サイズＭ×Ｎの部分塗りつぶし領域であることができる。部分塗りつぶし領域は、長方形、正方形、三角形、円形などを含む任意の形状である場合があり、又はサイズの閾値に達する何らかの形状の制約がない場合がある。当該領域の連続したピクセルは、当該領域の全体に関してイメージ品質の影響を有する場合がある。イメージの領域の色調整は、部分塗りつぶし領域が存在するか否かを識別すること、領域の色がキャリッジ遅延に影響されやすいか（感受性が高いか）否かを識別すること、潜在的な色変化を補償するために印刷キャリッジのパス間の遅延（即ち、スワス間遅延）の変化を識別することを含むことができる。色の遅延感受性に基づいて可変スワス間遅延を具現化することにより、その色の部分塗りつぶしが部分塗りつぶし全体にわたって均一である（例えば、同じ色の非常に長い印刷ジョブに起因した色変化が無い）ことができる。
【０００８】
図１及び図２は、例示的なイメージングシステムを示すブロック図である。図１を参照すると、図１の例示的なイメージングシステム１００は概して、キャリッジ１０２、色変化エンジン１０４、及び遅延エンジン１０６を含む。一般に、色変化エンジン１０４は、潜在的な色変化条件に関してイメージデータ１０８を分析することができ、遅延エンジン１０６は、潜在的な色変化条件に対応する領域の印刷中にキャリッジ１０２の移動に適用するための遅延を特定（識別）することができる。
【０００９】
キャリッジ１０２は、経路に沿って移動するための機械的構造体を表す。例えば、プリンタキャリッジは、印刷媒体上に印刷流体を吐出するためのプリントヘッドを保持するためのプリントヘッド受容ステーションを含むことができ、この場合、プリンタキャリッジは、当該キャリッジが印刷媒体の幅にわたって走査軸に沿って移動することを可能にする、プリンタの幅を横切るキャリッジビームにより支持される。
【００１０】
色変化エンジン１０４は、印刷ジョブのイメージデータ１０８の部分塗りつぶし領域に対応する潜在的な色変化条件を識別するための、任意の回路、又は回路および実行可能命令の組み合わせを表す。例えば、色変化エンジン１０４は、印刷ジョブの部分塗りつぶし領域が閾値サイズより大きいか否かを判断し、当該領域が遅延感受性の高い色の組み合わせで塗りつぶされることになるか否かを判断するための、回路および実行可能命令の組み合わせであることができる。潜在的な色変化条件は、同じ色であることが意図される領域にわたって色変化を生じる場合がある印刷ジョブのイメージデータに対応する複数の印刷パラメータを表す。例えば、印刷媒体より大きい印刷ジョブは、印刷されてタイルへ切り分けられ、その後、互いに貼り付けられることができ、この場合、第１のタイルの色は、噴射特性の何らかの変化に起因して第２のタイルの同じ色と異なるように見える場合がある。
【００１１】
色変化エンジン１０４は、部分塗りつぶし領域のサイズ及び部分塗りつぶし領域の色に基づいてイメージデータ１０８の領域に関して潜在的な色変化を識別する。本明細書で更に説明されるような色は、特定の色を生じさせるためのプリンタの色空間内の着色剤の組み合わせ、並びに当該色を生じさせるための単一の着色剤の使用（例えば、シアンで着色された部分塗りつぶし領域を生じさせるためのシアン色インクの使用）を含むことができる、着色剤印刷流体の色の組み合わせを意味する。様々な色の組み合わせは、色変化が生じる可能性がある前に、異なる感受性および領域サイズの制限を有する場合がある。例えば、濃い紫色は、より長い印刷による色変化に敏感でない場合があるが、明るい青緑色は同様の長さの印刷の色変化に敏感である場合がある。もう一つ例を挙げると、緑色の領域は、印刷媒体の長さの３０スワス後に色相が変化し始める場合があるが、オレンジ色の領域は印刷媒体の長さの２０スワス後にばらつきを有する場合がある。幾つかの色のばらつきは、部分塗りつぶしを印刷中にスワス間遅延を増大させることにより補償されることができ、それは一例として、印刷流体のより首尾一貫した噴射特性を与えることができる。色は、プリントヘッドと共に使用することに対応することができ、例えば、変化閾値は、特定タイプのプリントヘッドの連続したノズル噴射の数に基づくことができる。例えば、シアン、マゼンタ又はイエローを用いるプリントヘッドの何れかがスワスにおける連続したノズル噴射の特定数を超える場合、色ずれが、温度の変化またはプリントヘッドに粘着する印刷流体の量の変化のような、プリントヘッドの表面に対する変化に基づいて時間と共に生じる場合がある。色は、プリントヘッドの構成に基づいて遅延を求めるために相関され得る。例えば、シアンとブラックが第１のプリントヘッドから噴射され、マゼンタとイエローが第２のプリントヘッドから噴射される場合、当該閾値は、各プリントヘッドに対応する色の組み合わせに相関され得る。
【００１２】
色変化エンジン１０４は、例えば部分塗りつぶし領域の印刷ジョブのスワスの数を色の組み合わせに対応する変化閾値と比較することにより、特定の色の組み合わせのイメージデータの部分塗りつぶし領域にどのスワスが対応するかを判断し、色変化する傾向がある部分塗りつぶし領域を求める（判断する）ことができる。色変化エンジン１０４は、領域を印刷するために使用されるべき原色値を特定するために濃度計分析を行うことができ、この場合、原色値の組み合わせは、領域の色組み合わせを表す。部分塗りつぶし領域は、原色値が当該領域に対応する噴射の閾値量に首尾一貫している場合に識別（特定）され得る。変化閾値は予め定められることができ、又は所定値から計算され得る。例えば、色変化エンジン１０４は、変化閾値に対応するスワスの数と色の組み合わせを関連付ける（例えば、色変化前の最大数のスワスがその色を有すると考えられる）ルックアップテーブルのようなデータ資源を使用することができる。色変化エンジン１０４は、敏感な（感受性の高い）色のアレイ及び敏感な色のそれぞれに対応するスワス間遅延を含むルックアップテーブルから色変化しやすい閾値量を検索して取り出すことができ、この場合、スワス間遅延は、プリンタのキャリッジの移動に変化を適用するための遅延エンジン１０６により使用され得る。
【００１３】
色変化エンジン１０４は、スワスの閾値数より多い場合に、色の組み合わせを印刷するスワスの出力を追跡することができる。例えば、色変化エンジン１０４は、特定の色組み合わせを印刷することになる多数のスワスを観測するために濃度計分析を実施するための回路および実行可能命令の組み合わせを含むことができ、それは、印刷ジョブが始まる前または一組のスワスが実施される前に行われ得る。もう一つ例を挙げると、色変化エンジン１０４は、例えば従前のスワスの出力とその後のスワスの出力との間の差異を識別するために印刷区域の近くで能動的カラーセンサを用いることにより、印刷中に色変化を監視するための回路および実行可能命令の組み合わせを含むことができる。部分塗りつぶし領域のサイズは、部分塗りつぶし領域の幅（例えば、部分塗りつぶし領域を印刷するためのプリントヘッドを保持するキャリッジの走査軸に対して）及び部分塗りつぶし領域の長さ（例えば、媒体送り方向に沿ったスワスの数のような、媒体送り方向に対して、この場合、スワスはプリンタのキャリッジに結合されることになるプリントヘッドのノズルのトレンチの長さであることができる）により、識別され得る。
【００１４】
遅延エンジン１０６は、潜在的な色変化条件（例えば、色変化エンジン１０４により識別される潜在的な色変化条件）及び部分塗りつぶし領域のサイズに従ってキャリッジ遅延方策（strategy：戦略、ストラテジ、方法）を適用するための任意の回路、又は回路および実行可能命令の組み合わせを表す。例えば、遅延エンジン１０６は、色変化エンジン１０４により識別された部分塗りつぶし領域の色およびサイズに基づいたスワス間で遅延させるための時間量を識別し、その領域に対応する第１のパスと第２のパスとの間で遅延される時間量でもって印刷動作を実行するように印刷キャリッジに指示するための回路および実行可能命令の組み合わせであることができる。遅延エンジン１０６は、特定のサイズ及び特定の色の部分塗りつぶし領域を印刷する際に、キャリッジの移動に適用するための遅延を特定するために所定の情報および／または計算を使用することができる。例えば、遅延エンジン１０６は、部分塗りつぶし領域の印刷ジョブのスワスの数および色組み合わせに対応する変化閾値を超えるスワスの数に基づいてスワス間遅延を計算することができ、この場合、変化閾値は、当該色組み合わせに対応するスワスの所定数であることができる。
【００１５】
キャリッジ遅延方策は、一定であろうと可変であろうとキャリッジの移動に適用される任意のタイミング調整を表す。例えば、キャリッジ遅延方策は、平均的動作の下での機械的遅延に追加される遅延であることができる又はスワス間で所望される全遅延であることができるスワス間遅延の特定量を含むように分類されたスワスの概略であることができる。本明細書で説明されるような遅延させるための時間量は、１秒よりも小さく０より大きい可変の時間量であることができる。
【００１６】
遅延エンジン１０６はスワス間でキャリッジを遅延させるための時間量を特定するために部分塗りつぶしの色情報およびサイズ情報を使用する。遅延エンジン１０６は、プリンタの印刷ジョブ又はステータスの他の特性を使用する場合がある。例えば、遅延エンジン１０６は、印刷ジョブの多数のタイルのサイズ及び印刷ジョブのジョブ長さに基づいてスワス間遅延を求め、多数のタイルのサイズに匹敵する部分塗りつぶし領域の場所に基づいてスワス間遅延の調整値を求めることができる。その例において、遅延は、例えばプリンタのインク壺の同じ側の近くにある部分塗りつぶしに使用されない場合がある。別の例として、媒体上の部分塗りつぶしの場所は、更なる調整を行うために、又は媒体の中央における部分塗りつぶしのために媒体の中央までの移動時間のような、部分塗りつぶし領域までの移動時間が遅延の一部として計数され得るキャリッジの遅延を取り除くために使用され得る。
【００１７】
幾つかの例において、図１〜図２の何れかに関連して本明細書で説明される機能は、図３〜図７の何れかに関連して本明細書で説明される機能と組み合わせて提供され得る。
【００１８】
図２は、例示的なシステム２００を示し、そのシステム２００はプロセッサ資源２２２に関連して動作するように結合されたメモリ資源２２０を含むことができる。図２を参照すると、メモリ資源２２０は、プロセッサ資源２２２により実行可能である一組の命令を含むことができる。一組の命令は、当該一組の命令がプロセッサ資源２２２により実行された際にプロセッサ資源２２２にシステム２００の動作を実行させるように動作可能である。メモリ資源２２０に格納された一組の命令は、色変化モジュール２０４及び遅延モジュール２０６として表され得る。色変化モジュール２０４及び遅延モジュール２０６は、実行された際に図１の色変化エンジン１０４及び遅延エンジン１０６のそれぞれとして機能するプログラム命令を表す。プロセッサ資源２２２は、モジュール２０４、２０６、及び／又は数ある中でも及び／又はシステム２００のモジュールと関連する任意の他の適切な動作を実行するために一組の命令を実行に移すことができる。
【００１９】
例えば、プロセッサ資源２２２は、イメージデータが閾値幅の部分塗りつぶし領域を含むこと、及び部分塗りつぶし領域の色が閾値量を超えて色変化を示す傾向があることを特定する条件に対応するトリガ値を求め、部分塗りつぶし領域に対応するイメージデータのパラメータを追跡し、部分塗りつぶし領域が閾値数のスワスの後に印刷されているか否かを判断するために、追跡されたパラメータをトリガ値と比較し、当該パラメータがトリガ値に達する場合にスワスの閾値数を超えて部分塗りつぶし領域を印刷するための印刷動作に対応するプリンタキャリッジの移動の可変のスワス間遅延に変更を適用する（例えば、遅延感受性の高い色組み合わせの感受性レベルに対応するスワスの閾値数の後に、部分塗りつぶしが印刷されることになる場合にキャリッジの可変のスワス間遅延を変更する）ための一組の命令を実行することができる。もう一つ例を挙げると、プロセッサ資源２２２は、走査軸にわたって同じ色を使用する領域の連続したスワスの数を特定し、部分塗りつぶし領域の色の色値に基づいて領域の同じ色の割合に維持されて印刷されるべきスワスの閾値数を特定し、スワスの閾値数を超える後続のスワスの数を求め、従前のスワスに対して当該数の後続のスワスのイメージデータを評価し、従前のスワスに対する当該数の後続のスワスの評価に従ってスワス間でキャリッジの移動を遅延させるための一組の命令を実行することができる。更にもう一つ例を挙げると、プロセッサ資源２２２は、遅延感受性の高い組み合わせの感受性レベルに対応するスワスの閾値数後に部分塗りつぶしが印刷されることになる場合に所定の色を色変化感受性と比較される色の比較に基づいて、遅延を特定して当該遅延を感受性の高い色の組み合わせと関連付けるために濃度計分析を介して、部分塗りつぶし領域の色が色感受性の高い色の組み合わせであることを判断するための一組の命令を実行することができる。更にもう一つ例を挙げると、プロセッサ資源２２２は、色変化トリガ値を特定するために色に対応するルックアップテーブルのエントリを検索して使用するために、又は所定の色を色変化感受性と比較される色の成分および当該成分の色の色変化感受性に対応する所定の遅延に基づいて色のトリガ値を動的に計算するために一組の命令を実行することができる。更にもう一つ例を挙げると、プロセッサ資源２２２は、イメージデータからジョブの幅（ジョブ幅）およびジョブの長さ（ジョブ長さ）を求め、当該イメージデータがラスターイメージ処理データであり、プリンタの走査軸の方向および印刷されるべきスワスの方向に対する部分塗りつぶし領域の場所に基づいてキャリッジの移動の可変のスワス間遅延の変更を適用するための一組の命令を実行することができる。
【００２０】
これら特定のモジュール及び様々な他のモジュールは図２及び他の例示的な具現化形態に関連して図示および説明されるが、モジュールの他の組み合わせ又は副組み合わせは、他の具現化形態内に含まれ得る。言い換えれば、図２に図示された及び他の例示的な具現化形態で説明されるモジュールは、本明細書で説明される例において特定の機能を実行するが、これら及び他の機能は、異なるモジュールにおいて又はモジュールの組み合わせにおいて、達成される、具現化される又は実現され得る。例えば、別個として図示された及び／又は説明された２つ以上のモジュールは、当該２つのモジュールに関連して説明された機能を実行する１つのモジュールへ統合され得る。もう一つ例を挙げると、これら例に関連して説明されるように１つのモジュールで実行される機能は、異なるモジュール（単数または複数）で実行され得る。図４は、機能が如何にしてモジュールへ編成され得るかに関する更に別の例を示す。
【００２１】
プロセッサ資源は、メモリ資源からの命令を検索して取り出してそれら命令を実行することができる１つ又は複数の処理要素のような、命令を処理（例えば、コンピューティング）することができる任意の適切な回路である。例えば、プロセッサ資源２２２は、モジュール２０４及び２０６をフェッチし、復号し及び実行することによりスワス間遅延調整を可能にする中央処理ユニット（ＣＰＵ）であることができる。例示的なプロセッサ資源は、ＣＰＵ、半導体ベースのマイクロプロセッサ、プログラム可能論理回路（ＰＬＤ）、及び同類のものの少なくとも１つを含む。例示的なＰＬＤは、特定用途向け集積回路（ＡＳＩＣ）、フィールド・プログラマブル・ゲート・アレイ（ＦＰＧＡ）、プログラマブル論理アレイ（ＰＡＬ）、結合プログラム可能論理回路（ＣＰＬＤ）、及び消去可能プログラマブル論理デバイス（ＥＰＬＤ）を含む。プロセッサ資源は、単一のデバイスに集積された又は複数のデバイスにわたって分散された複数の処理要素を含むことができる。プロセッサ資源は、命令を、逐次的に、並行して又は部分的に並行して処理することができる。
【００２２】
メモリ資源は、システム２００により利用される及び／又は生成されるデータを格納するための媒体を表す。当該媒体は、システム２００のモジュールのようなデータ及び／又はシステム２００により使用されるデータを電子的に格納することができる任意の持続性媒体または持続性媒体の組み合わせである。例えば、媒体は、信号のような一時的な伝達媒体と異なる記憶媒体であることができる。媒体は、コンピュータ可読のような機械可読であることができる。媒体は、実行可能命令を収容する（即ち、格納する）ことができる電子的、磁気的、光学的、又は他の物理的記憶デバイスであることができる。メモリ資源は、プロセッサ資源により実行された際にプロセッサ資源に図２のシステム２００の機能を具現化させるプログラム命令を格納すると考えられ得る。メモリ資源は、プロセッサ資源と同じデバイスに集積化されることができ、又は別個であるがそのデバイス及びプロセッサ資源にアクセス可能であることができる。メモリ資源は、複数のデバイスにわたって分散され得る。
【００２３】
本明細書の説明において、図１のエンジン１０４及び１０６、及び図２のモジュール２０４及び２０６は、回路、又は回路および実行可能命令の組み合わせとして説明された。係る構成要素は、多数の方式で具現化され得る。図２を参照すると、実行可能命令は、有形の持続性コンピュータ可読記憶媒体であるメモリ資源２２０に格納された、プログラム命令のようなプロセッサ実行可能命令であることができ、回路は、これら命令を実行するための、プロセッサ資源２２２のような電子回路であることができる。メモリ資源で読み出される命令は、プロセッサ資源により直接的に（例えば、機械語）または間接的に（例えば、スクリプト）実行されるべき命令の何らかの組を含むことができる。
【００２４】
幾つかの例において、システム２００は、インストールされた際に、図３〜図７に関連して説明される方法のような、システム２００の動作を実行するためにプロセッサ資源により実行され得るインストールパッケージの一部であることができる実行可能命令を含むことができる。その例において、メモリ資源は、コンパクトディスク、デジタルビデオディスク、フラッシュドライブのような携帯型媒体、又はインストールパッケージがダウンロードされてインストールされ得るウェブサーバのようなコンピュータデバイスにより維持されるメモリであることができる。別の例において、実行可能命令は、既にインストールされたアプリケーション（単数または複数）の一部であることができる。メモリ資源は、読み出し専用メモリ（ＲＯＭ）のような不揮発性メモリ資源、ランダムアクセスメモリ（ＲＡＭ）のような揮発性メモリ資源、記憶装置、又はそれらの組み合わせであることができる。メモリ資源の例示的な形態は、スタティックＲＡＭ（ＳＲＡＭ）、ダイナミックＲＡＭ（ＤＲＡＭ）、電気的消去可能ＲＯＭ（ＥＥＰＲＯＭ）、フラッシュメモリ、又は同類のものを含む。メモリ資源は、ハードドライブ（ＨＤ）、半導体ドライブ（ＳＳＤ）のような集積メモリ、又は光ドライブを含むことができる。
【００２５】
図３は、様々なイメージングシステム３００が具現化され得る例示的な印刷装置３９０を示す。例示的な印刷装置３９０は、部分塗りつぶし特性に基づいて可変のスワス間遅延を可能にするための例示的な印刷システム３００を含むように示される。システム３００（図１及び図２に関連して本明細書で説明された）は概して、部分塗りつぶし領域の色とサイズに対応するスワス間遅延を識別するための任意の回路、又は回路および実行可能命令の組み合わせを表すことができる。システム３００は、線３１５により表された走査軸に沿ってトラック３１６上でキャリッジ３１４の移動を付勢し、印刷媒体３１０上へ印刷流体を吐出するように、キャリッジ３１４に結合されたプリントヘッドを付勢するためのコントローラ３１２を含むことができる。本明細書で使用されるようなコントローラは、格納された制御プログラムを有するメモリ資源に結合されたプロセッサ資源のような回路および実行可能命令の組み合わせを表し、当該制御プログラムは、プロセッサ資源により実行された際に、プロセッサ資源に制御プログラムの動作を実行させる。
【００２６】
図３の印刷装置３９０は、媒体３１０上に部分塗りつぶし３３０及び部分塗りつぶし３４０を生成するためにイメージデータに基づいたジョブの印刷状態にある。イメージデータは、部分塗りつぶし３３０のスワス及び部分塗りつぶし３４０のスワスに対応する領域のような領域において分析され得る。各領域は、異なるスワス間遅延を有することができる。印刷領域３４０に使用されるスワス間遅延は、領域３３０を印刷するために使用されるスワス間遅延より少なくすることができる。例えば、領域３４０は、領域３３０の色より感受性の低い異なる色の部分塗りつぶしであることができ、それ故に、領域３３０を印刷するために多数のスワスと共に使用されるスワス間遅延と比較して、異なるスワス間遅延が領域３４０を印刷するために使用される多数のスワスと共に使用され得る。もう一つ例を挙げると、スワス間遅延は、領域３４０を印刷するために使用されるスワスに対して最小限度の可変のスワス間遅延（例えば、ゼロ）であることができ、その理由は、部分塗りつぶし領域３４０の幅３４１は印刷装置３９０のプリントヘッドの色変化特性に影響を及ぼす走査軸幅閾値に達することができないが、領域３３０の幅３３１は当該走査軸幅閾値を達成または超えることができるからである。更にもう一つ例を挙げると、領域３４０を印刷するために使用される長さ３４３に沿ったスワスの数は、印刷装置３９０のプリントヘッドの色変化特性に影響を及ぼすスワスの変化閾値数を超えることができないが、領域３３０を印刷するために使用される長さ３３３に沿ったスワスの数は、当該変化閾値を超えることができる。このように、各スワスは、印刷装置３９０のプロパティ及び特性に基づいて引き起こされるような色変化を印刷ジョブの出力に基づいて修正するために遅延が適用されることになるか否かを判断するために、対応するイメージデータに従って分析され得る。係るプロパティ及び特性は、インクフラックス特性、噴射特性、及びプリントヘッドの特性を含むことができる。例示的なプロパティ及び特性は、ノズルの範囲にわたるノズル毎の平均インクフラックスのようなノズル毎のインクフラックス、噴射エネルギー、噴射電圧、噴射パルス、噴射方法、ダイの表面温度のようなプリントヘッド温度、トリクル温暖温度（trickle warm temperature）及び同類のものを含む。
【００２７】
図４は、例示的なイメージングシステム４００を具現化するために使用される例示的な構成要素を示す。図４を参照すると、図４の例示的な構成要素は概して、色変化エンジン４０４、遅延エンジン４０６、及びキャリッジ移動エンジン４０８を含む。図４の例示的な構成要素は、図３の印刷装置３９０のようなコンピュータ装置で具現化され得る（例えば、図３のコントローラ３１２の一部のようなプログラムされた命令）。
【００２８】
色変化エンジン４０４は、印刷ジョブ要求（リクエスト）４７０の遅延感受性の高い部分塗りつぶし領域の識別を支援するためのプログラム命令（例えば、条件モジュール４４０、追跡モジュール４４２、部分塗りつぶしモジュール４４４及び色モジュール４４６）を含む。モジュール４４０、４４２、４４４及び４４６は、プロセッサ資源により実行された場合に動作を実施する際に、イメージデータ４６０、サイズルックアップテーブル４６２、及び／又は色ルックアップテーブル４６４を使用することができる。
【００２９】
条件モジュール４４０は、実行された際にラスターイメージ処理データ（例えば、図４のイメージデータ４６０）からジョブ幅とジョブ長さを含むパラメータをプロセッサ資源に求めさせるプログラム命令を表す。他のパラメータは、ジョブタイプ（例えば、グラフィックス印刷ジョブ又は技術的印刷ジョブ）、タイリングモード及び印刷モードを含むことができる。追跡モジュール４４２は、実行された際に、原色値および印刷ジョブの各スワス中に印刷されるべき各印刷流体の原色値と量を含む印刷ジョブのパラメータをプロセッサ資源に追跡させるプログラム命令を表す。部分塗りつぶしモジュール４４４は、実行された際に部分塗りつぶしの領域をプロセッサ資源に決定させるプログラム命令を表す。例えば、色の一致性にリスクである可能性があるスワスの所定の所与数の後に、色組み合わせの首尾一貫した量が依然として印刷されている場合、部分塗りつぶしモジュール４４４の実行により、領域が部分塗りつぶしであることを示すプロパティを有する領域の識別を支援するためにサイズルックアップテーブル４６２が利用され得る。色モジュール４４６は、実行された際に、部分塗りつぶしモジュール４４４を実行することにより識別された部分塗りつぶし領域の色をプロセッサ資源に求めさせるプログラム命令を表す。例えば、色は、部分塗りつぶしモジュール４４４を実行することにより識別された領域においてイメージデータを再現するために使用されるべき原色値に基づいて求められ得る。色モジュール４４６の実行により、潜在的な色変化条件を提供する場合がある色組み合わせの識別を支援するために色ルックアップテーブル４６４が利用され得る。
【００３０】
遅延エンジン４０６は、プリンタキャリッジの移動に適用するための遅延の識別を支援するためのプログラム命令（例えば、感受性モジュール４４８、場所モジュール４５０、及び可変時間モジュール４５２）を含む。モジュール４４８、４５０及び４５２は、プロセッサ資源により実行された場合に動作を実施する際に、イメージデータ４６０、サイズルックアップテーブル４６２及び／又は色ルックアップテーブル４６４を使用することができる。
【００３１】
感受性モジュール４４８は、実行された際に、色モジュール４４６を実行することにより識別された領域に印刷されるべき色組み合わせに基づいて、部分塗りつぶしモジュール４４４を実行することにより識別された部分塗りつぶし領域の感受性をプロセッサ資源に求めさせるプログラム命令を表す。色の複数のセクションが当該領域に印刷されることになる場合、遅延エンジンに知らせるための感受性は、色の組み合わせ又は副領域（例えば、印刷されるべき色の組み合わせの最も感受性の高い色組み合わせの領域）に基づくことができる。場所モジュール４５０は、実行された際にプロセッサ資源に、媒体サイズ及び／又はプリンタの走査軸に沿った位置に関して当該領域の場所を特定させ、任意の調整が当該場所に基づいて行われるべきであるか、増やされるべきであるか又は減らされるべきであるかを判断させるプログラム命令を表す。可変時間モジュール４５２は、実行された際にプロセッサ資源に、当該場所までの移動時間を含む遅延を特定させ、平均スワス間遅延に関して遅延を達成するように可変のスワス間遅延における調整を特定させるプログラム命令を表し、この場合、その例において、可変のスワス間遅延は、カスタマイズ可能であり、平均スワス間遅延は、平均動作中の標準的な遅延である。可変時間モジュール４５２の実行により、１つのスワスに対する又は複数のスワスの領域に対するキャリッジの移動に対応する時間量に対応するタイミング予測４６６が利用されることができ、この場合、予測されたタイミングは、遅延エンジン４０６の求めた値およびそれに応じて生成されたキャリッジ移動命令４７２に基づいて調整され得る。
【００３２】
キャリッジエンジン４０８は、遅延エンジン４０６により求められたような遅延をキャリッジの移動に適用するための命令（例えば、多数のパスの中でプリンタキャリッジのスワス間遅延を調整するための命令）を生成するための回路、又は回路と実行可能命令の組み合わせを表す。キャリッジ移動エンジン４０８により生成されたキャリッジ命令４７２は、キャリッジの移動の付勢を託されたモータに適用される、又は識別された遅延でキャリッジを動作させるためにコントローラ又は他の機構に送られる。
【００３３】
図５〜図７は、プリンタのキャリッジを動作させる例示的な方法５００、６００及び７００を示す流れ図である。図５を参照すると、プリンタのキャリッジを動作させる例示的な方法５００は概して、遅延感受性の高い部分塗りつぶしを識別し、識別された遅延感受性の高い部分塗りつぶしの感受性に従ってキャリッジの移動に変更を適用することを含むことができる。方法５００、６００及び７００は、システム１００、２００、３００及び４００のような、本明細書で説明されるシステムにより実行可能である。
【００３４】
ブロック５０２において、遅延感受性の高い色組み合わせが、部分塗りつぶし領域の一部であると判断され、当該部分塗りつぶしのサイズが、閾値より大きいと判断される。ブロック５０２における動作は、領域が部分塗りつぶしであると判断し、印刷ジョブの部分塗りつぶし領域が遅延感受性の高い色組み合わせを含むことになることを判断し、部分塗りつぶし領域が、遅延感受性の高い色組み合わせの感受性レベルに対応する閾値幅より大きい、キャリッジの走査軸に沿った幅を有することを判断することを含むことができる。ブロック５０２における動作は、色組み合わせの色変化に達するための閾値サイズを識別することができ、及び／又はルックアップテーブルのような所定の資源を用いて、又は閾値サイズ及び感受性を動的に計算して当該計算値をイメージデータの領域と比較することにより、当該サイズの部分塗りつぶし領域における色組み合わせ感受性を特定することができる。
【００３５】
ブロック５０４において、プリンタのキャリッジの移動に対する修正が、ブロック５０２において識別された遅延感受性の高い色組み合わせの感受性レベルに対応する閾値数のスワスの後に適用される。ブロック５０４における動作は、パラメータがトリガ値に達する（例えば、領域のピクセルに対応する原色値がサイズ閾値および色組み合わせ閾値に達する又は超える）場合に、所定数のスワスを超えて延在する部分塗りつぶし領域を印刷するための印刷動作中にプリンタのキャリッジの移動に変更を適用することを含むことができる。
【００３６】
図６は、図５のブロックに類似するブロックを含み、追加のブロック及び細部を提供する。特に、図６は、概して印刷パラメータを求める、監視する、及び比較することに関する追加のブロック及び細部を示す。ブロック６１２及び６１４は、図５のブロック５０２及び５０４に類似し、簡潔にするために、それらの個々の説明は繰り返されない。
【００３７】
ブロック６０２において、ジョブ幅およびジョブ長さを含む印刷ジョブの印刷パラメータは、ラスターイメージ処理データから求められる。ブロック６０４において、イメージデータの領域は、印刷ジョブのイメージデータで実行される内部濃度計情報分析動作から部分塗りつぶしであると判断され且つ媒体幅を超えており、及び／又はジョブ長さが媒体長さを超えている。これは一般的に、タイリングジョブが印刷されることになり且つプリンタがタイリングモードで印刷することができる（例えば、印刷イメージが別個に印刷され、次いで最終の出力イメージを作成するために互いに整列される）ことを示す。タイリングジョブに関して、各タイルの色は、特に同じ色の各タイルが互いに隣接して整列される場合に、一致することが望ましい。例えば、第２のタイルと比べて第１のタイルに色変化が存在する場合、当該変化は、当該タイルが一緒になるように適用される継ぎ目において容易に気付くことができる。内部濃度計情報分析は、領域が部分塗りつぶしを含む時を特定するために、対応する原色値を使用することができる。
【００３８】
ブロック６０６において、印刷パラメータが監視される。印刷パラメータの監視は、部分塗りつぶし領域の色組み合わせのような、色組み合わせを噴射するための多数のノズルを含むことができる。ブロック６０８において、部分塗りつぶし領域の部分塗りつぶし幅が特定される。部分塗りつぶし幅は、部分塗りつぶし領域の色組み合わせの色感受性レベルに対応する閾値サイズと比較される。部分塗りつぶしの幅は、感受性レベルに対応する部分塗りつぶしの閾値レベルが達成され得るか否かを示すことができる。部分塗りつぶしの幅が特定された状態で、部分塗りつぶしの長さが、部分塗りつぶしのサイズを求めるために特定されるべきである。ブロック６１０において、部分塗りつぶしの長さは、ブロック６０６において監視された印刷パラメータに基づいて特定され得る。例えば、従前のスワスに対して噴射されるべきプリントヘッドのノズルが、後続のスワスに対して噴射されるべきプリントヘッドのノズルと比較される。このように、スワスの印刷パラメータが、部分塗りつぶし領域の色組み合わせの色感受性レベルに対応する閾値サイズと比較される。閾値は、部分塗りつぶしの色組み合わせに基づいて変化することができ、そのため、ブロック６１２において、領域が遅延感受性の高い色組み合わせを含むか否か、及び遅延感受性の高い色組み合わせの色変化の可能性に対応する閾値より大きいサイズであるか否かが判断される。ブロック６１４において、部分塗りつぶしが、閾値サイズ、及び遅延感受性の高い色組み合わせに対応するスワスの閾値数を超える場合に、可変のスワス間遅延に対する変更が適用される。このように、部分塗りつぶし領域が印刷ジョブの時間と共に色変化をもたらす場合があるインク量に対応する長さと幅において十分に大きい場合に、遅延が適用される。
【００３９】
図７を参照すると、方法７００は、部分塗りつぶし領域が遅延感受性の高い色組み合わせを含むか否か、及び対応する閾値より大きいサイズからなるか否かを判断するために実行される動作の一例である。このように、ブロック７０２は、方法５００のブロック５０２及び／又は方法６００のブロック６１２により実行可能な動作を表す。
【００４０】
ブロック７０４において、走査軸に対応するイメージデータのセクションが、色組み合わせで印刷されることを確認される。例えば、プリントヘッドのキャリッジの１つのパスは、一組のイメージデータに対応することができ、この場合、走査軸に対応する連続した数の噴射は、同じ色組み合わせで印刷されることになる。また、ブロック７０４における動作は、色組み合わせがキャリッジ遅延に敏感であるか否かを確認することも含むことができる。
【００４１】
ブロック７０６において、色組み合わせの感受性レベルに達する色組み合わせに対応するスワスの閾値数が特定される。当該閾値は、部分塗りつぶしの色組み合わせに基づいて変化する場合があり、分析されている感受性レベルに基づいて変化する場合がある。ブロック７０６の動作は、ブロック７０８において色変化閾値（例えば、トリガ値）を特定するために色に対応するルックアップテーブルのエントリを使用することができ、及び／又はブロック７１０において色変化閾値を動的に計算することができる。色変化閾値を動的に計算するためのブロック７１０における動作は、色変化感受性を有する所定の色に匹敵する色の組成、及び当該組成からなる色の色変化感受性に対応する所定の遅延に基づくことができる。
【００４２】
ブロック７１２において、スワスが、スワスの閾値数を超えて同じ色組み合わせでイメージデータのセクションを印刷すると判断され、かくして色変化の可能性を示し、修正スワス間遅延が適用されるべきである（例えば、方法５００及び６００のブロック５０４及び６１４をそれぞれ参照）。部分塗りつぶし領域の色変化の可能性を能動的に追跡することにより、キャリッジの移動は、全印刷ジョブにわたって、特に同じジョブの複数のタイルにわたって首尾一貫した色を促進することに従って修正され得る。
【００４３】
図４〜図７の流れ図は実行の特定の順序を示すが、実行の順序は図示されたものと異なってもよい。例えば、ブロックの実行の順序は、図示された順序に対してかき混ぜられ得る。また、連続して示されたブロックは、並行して又は部分的に並行して実行され得る。係る変形の全ては、本説明の範囲内である。
【００４４】
本明細書（添付の特許請求の範囲、要約および図面の全てを含む）において開示された特徴の全て、及び／又はそのように開示されたあらゆる方法またはプロセスの要素の全ては、係る特徴および／または要素の少なくとも幾つかが相互に排他的である組み合わせを除いて、任意の組み合わせに結合され得る。
【００４５】
本明細書で使用されるような、用語「含む（include）」、「有する」及びその変化形は、用語「含む（からなる）（comprise）」又はその適切な変化形と同じであることを意味する。更に、本明細書で使用されるような用語「基づいて」は、「少なくとも部分的に基づく」ことを意味する。かくして、幾つかの刺激に基づいてのように説明される特徴は、刺激にのみ基づく、又は当該刺激を含む刺激（複数）の組みあわせに基づくことができる。更に、単語「第１の」、「第２の」又は特許請求の範囲における関連する用語の使用は、特許請求の範囲の要素を順序または位置に制限するために使用されておらず、特許請求の範囲の別個の要素を単に区別するために使用されている。
【００４６】
本説明は、上記の例に関連して図示および説明された。しかしながら、理解されるように、他の形態、細部および例が、添付の特許請求の範囲の思想と範囲から逸脱せずに行われ得る。
【図１】
2021511993.tif 000003
【図２】
2021511993.tif 000004
【図３】
2021511993.tif 000005
【図４】
2021511993.tif 000006
【図５】
2021511993.tif 000007
【図６】
2021511993.tif 000008
【図７】
2021511993.tif 000009
【国際調査報告】
2021511993.tif 000010